(57)【要約】【課題】這樋エルボの筒体をどの箇所で切断しても、切断された開口が切断前の筒体の上端開口と同じ大きさとなるため、接着剤で水密的にエルボ本体を接合でき、長さ調節筒をエルボ本体と筒体との間に介在させなくても、筒体を切断するだけで、這樋から軒樋底面までの落差に合致するように全長を調節できる這樋エルボを提供する。【解決手段】前端に這樋１０３が差込接続される接続口１ａを有し、かつ、下端に差込口１ｂを有する合成樹脂製のエルボ本体１と、このエルボ本体の差込口１ｂに嵌合される上端開口２ａを有し、かつ、下端に排水口２ｂを有する合成樹脂製の筒体２とからなる這樋エルボであって、筒体２が全長に亘ってテーパーのない筒状に形成された這樋エルボとする。筒体２の途中から上端までの切断予定部分がテーパーのない筒状に形成されていてもよい。【選択図】　図２
2004027660.tif 000002
【特許請求の範囲】
【請求項１】
前端に這樋が差込接続される接続口を有し、かつ、下端に差込口を有する合成樹脂製のエルボ本体と、このエルボ本体の差込口に嵌合される上端開口を有し、かつ、下端に排水口を有する合成樹脂製の筒体とからなる這樋エルボであって、該筒体が全長に亘ってテーパーのない筒状に形成されていることを特徴とする這樋エルボ。
【請求項２】
前端に這樋が差込接続される接続口を有し、かつ、下端に差込口を有する合成樹脂製のエルボ本体と、このエルボ本体の差込口に嵌合される上端開口を有し、かつ、下端に排水口を有する合成樹脂製の筒体とからなる這樋エルボであって、該筒体の途中から上端までの切断予定部分がテーパーのない筒状に形成されていることを特徴とする這樋エルボ。
【請求項３】
前記筒体が合成樹脂の一体成形品である請求項１又は請求項２に記載の這樋エルボ。
【請求項４】
前記筒体が二分割状の筒半体を合体したものである請求項１又は請求項２に記載の這樋エルボ。
【発明の詳細な説明】
【０００１】
【発明の属する技術分野】
本発明は、這樋から軒樋へ雨水を導くために使用する這樋エルボに関する。
【０００２】
【従来の技術】
従来より、例えば図６に示すような合成樹脂製の這樋エルボが知られている。この這樋エルボは、エルボ本体１０１と有底の筒体１０２からなるもので、エルボ本体１０１は、その前端に這樋が差込接続される接続口１０１ａを有し、下端に差込口１０１ｂを有している。そして、筒体１０２は、エルボ本体１０１の差込口１０１ｂに嵌合される上端開口１０２ａを有し、下端両側に排水口１０２ｂを有している。この筒体１０２は、成形時の型抜きを容易にするため、筒体全長に亘って上広がりのテーパーが付けられている。
【０００３】
しかしながら、テーパー付きの筒体１０２は、その全長が長くなると、切断する箇所によって筒体の切断された開口の大きさが大幅に異なるため、切断された開口とエルボ本体下端の差込口１０１ｂとの大きさが合わなくなって、うまく嵌合できないという不都合がある。そこで、筒体１０２の全長を１０〜１２ｃｍ程度と短くし、切断する箇所によって開口の大きさが殆ど変わらないようにして、差込口１０１ｂとの嵌合がうまく行われるようにしている。
【０００４】
上記の這樋エルボは、エルボ本体１０１の接続口１０１ａに這樋の先端を差込接続し、筒体１０２の底部を軒樋の底面に当接させた状態で取付けられる。このように這樋エルボを取付けると、這樋から流れてくる雨水は這樋エルボの筒体１０２を流れ落ち、該筒体１０２の排水口１０２ｂから軒樋へスムーズに合流して排水される。
【０００５】
【発明が解決しようとする課題】
しかしながら、上記の這樋エルボのように筒体１０２の全長が短いものは、図７に示すように這樋１０３から軒樋１０４の底面までの落差が大きい場合、長さ調節筒１０５をエルボ本体１０１と筒体１０２との間に介在させて接続することにより、這樋エルボの全長を上記落差に合致するように調節する必要がある。そのため、部品点数が増加してコスト高となり、また、接続箇所が増えるので施工性の低下を招き、接続箇所から水漏れする確率も高くなる等の問題があった。
【０００６】
本発明は、上記の問題を一挙に解決し得る這樋エルボを提供することを目的としている。
【０００７】
【課題を解決するための手段】
上記目的を達成するため、本発明の這樋エルボは、前端に這樋が差込接続される接続口を有し、かつ、下端に差込口を有する合成樹脂製のエルボ本体と、このエルボ本体の差込口に嵌合される上端開口を有し、かつ、下端に排水口を有する合成樹脂製の筒体とからなる這樋エルボであって、該筒体が全長に亘ってテーパーのない筒状に形成されていることを特徴とする。
【０００８】
この這樋エルボのように筒体が全長に亘ってテーパーのない筒状に形成されていると、筒体をどの箇所で切断しても、筒体の切断された開口は切断前の筒体の上端開口と同じ大きさになるので、筒体の全長を這樋から軒樋の底面までの落差に対応可能となるように長くすることができ、このように長い筒体としても、所望の箇所で切断された開口にエルボ本体の差込口を実質的に隙間なく嵌合して接着剤で水密的に接合することができる。従って、這樋から軒樋の底面までの落差が大きい場合でも、従来のように長さ調節筒をエルボ本体と筒体との間に介在させて接続することが不要になり、部品点数の増加や接続箇所の増加がなくなるので、施工性の低下やコスト増を防止することができ、また、接続箇所からの水漏れを防止することもできる。
【０００９】
本発明のもう一つの這樋エルボは、前端に這樋が差込接続される接続口を有し、かつ、下端に差込口を有する合成樹脂製のエルボ本体と、このエルボ本体の差込口に嵌合される上端開口を有し、かつ、下端に排水口を有する合成樹脂製の筒体とからなる這樋エルボであって、該筒体の途中から上端までの切断予定部分がテーパーのない筒状に形成されていることを特徴とする。
【００１０】
この這樋エルボのように、筒体の途中から上端までの切断予定部分がテーパーのない筒状に形成されていると、筒体の切断予定部分のどの箇所で切断しても、切断された開口は切断前の筒体の上端開口と同じ大きさになる。従って、この這樋エルボも、筒体の全長を這樋から軒樋の底面までの落差に対応可能となるように長くして、上述した這樋エルボと同様の作用効果を得ることができる。なお、筒体の切断予定部分よりも下側はテーパーを付けていても切断されないので、不都合を生じることはない。
【００１１】
上述した本発明の二つの這樋エルボにおいては、その筒体を合成樹脂の一体成形品としてもよく、また、二分割状の筒半体を合体したものとしてもよい。
【００１２】
【発明の実施の形態】
以下、図面を参照して本発明の具体的な実施形態を詳述する。
【００１３】
図１（ａ）は本発明の一実施形態に係る這樋エルボの正面図、図１（ｂ）は同這樋エルボの右側面図、図２は同這樋エルボの分解縦断面図である。
【００１４】
この這樋エルボは、合成樹脂で一体成形されたエルボ本体１と、合成樹脂で一体成形された有底の筒体２とからなる。エルボ本体１は、その前端に這樋１０３を差込接続する接続口１ａ（四隅を面取りした正方形の接続口）が形成されており、下端には長方形の差込口１ｂが突設されている。
【００１５】
一方、筒体２は、全長に亘ってテーパーのない角筒状（長方形の断面形状を有する角筒状）に形成されており、エルボ本体１の差込口１ｂに実質的に隙間なく嵌合される長方形の上端開口２ａを有している。そして、この筒体２の下端両側には排水口２ｂ，２ｂが形成されており、筒体２の底部は丸みをつけて形成されている。この筒体２の全長は、這樋から軒樋底面までの落差が大きくても対応できるように、１５〜４０ｃｍ程度、好ましくは２０〜３０ｃｍ程度に設定するのがよい。
【００１６】
上記の這樋エルボは、図３に示すように、這樋１０３から軒樋１０４の底面までの落差に合致するように筒体２の上部を適当に切断すると共に、この切断した筒体２の開口にエルボ本体１の差込口１ｂを嵌合して接着し、這樋１０３の先端をエルボ本体１の接続口１ａに差込接続して筒体２の底部を軒樋１０４の底面に当接させた状態で取付けられる。その際、この這樋エルボは、筒体２が全長に亘ってテーパーのない角筒状に形成されているため、筒体２をどの箇所で水平に切断しても、筒体２の切断された開口は切断前の筒体２の上端開口２ａと同じ大きさになる。従って、この筒体２の切断された開口にエルボ本体１の差込口１ｂを実質的に隙間なく差込んで接着剤で水密的に嵌合することができるので、水漏れの心配はない。しかも、この這樋エルボは、筒体２を切断するだけで、這樋１０３から軒樋１０４の底面までの落差に合致するように這樋エルボの全長を調節できるため、従来のように長さ調節筒をエルボ本体１と筒体２との間に介在させて接続することが不要になり、その結果、部品点数の増加や接続箇所の増加がなくなるので、施工性の低下やコスト増を防止することができる。
【００１７】
図４は本発明の他の実施形態に係る這樋エルボの正面図である。
【００１８】
この這樋エルボは、筒体２の下端の片側に排水口２ｂを形成した点で、前記の這樋エルボと構成が相違している。その他の構成は前記の這樋エルボと同一であるので、図４において同一部材に同一符号を付し、説明を省略する。
【００１９】
筒体２の下端の排水口２ｂは、この実施形態のように筒体２の下端の片側のみに形成してもよく、また、前述の実施形態のように筒体２の下端の両側に形成してもよい。また、場合によっては、筒体２の下端を斜めに切断して排水口を形成したり、筒体２の下端をＶ形に切断して排水口を形成してもよい。
【００２０】
図５（ａ）は本発明の更に他の実施形態に係る這樋エルボの正面図、図５（ｂ）は同這樋エルボの右側面図、図６は同這樋エルボの筒体の分解横断面図である。
【００２１】
この這樋エルボは、有底の筒体２が前後二分割状の筒半体２０，２０を合体したものであって、該筒体２は全長に亘ってテーパーのない角筒状に形成されている。図６に示すように、双方の筒半体２０，２０はいずれも両側端にフランジ部２０ｃが形成されており、一方の筒半体２０（前側の筒半体）のフランジ部２０ｃには、複数のピン挿通孔２０ｄが上下に一定の間隔をあけて形成されている。そして、他方の筒半体２０（後側の筒半体）のフランジ部２０ｃには、膨大先端部を有するピン２０ｅが上記のピン挿通孔２０ｄと同じ間隔をあけて複数本突設されており、これらのピン２０ｅが上記のピン挿通孔２０ｄに抜けないように圧挿されて、双方の筒半体２０，２０が分離不能に合体されている。また、図５（ｂ）に示すように、筒体２の底部と排水口２ｂの上端口縁部は、一方（前側）の筒半体２０に形成された係合部２０ｆを他方（後側）の筒半体２０に形成された被係合部２０ｇに係合させることによって、分離しないように結合されている。尚、双方の筒半体２０，２０のフランジ部２０ｃとフランジ部２０ｃの間や、上記の係合部２０ｆと被係合部２０ｇの間には、接着剤を塗布して水密性を付与することが好ましい。
【００２２】
その他の構成は、前述した這樋エルボと同様であるから、図５、図６において同一部材に同一符号を付し、説明を省略する。
【００２３】
このような這樋エルボも、前述の這樋エルボと同様に、筒体２をどの箇所で水平に切断しても、筒体２の切断された開口が切断前の筒体２の上端開口２ａと同じ大きさとなり、筒体２を切断するだけで這樋と軒樋底部との落差に合致するように這樋エルボの全長を調節できるため、前述の這樋エルボと同じ効果が得られる。
【００２４】
尚、前後の筒半体２０，２０のフランジ部２０ｃ，２０ｃに上記のピン２０ｅやピン挿通孔２０ｄを設けないで、フランジ部２０ｃ，２０ｃを接着剤のみで接着したり、ビス等で固定することによって、前後の筒半体２０，２０を分離しないように合体させてもよく、また、フランジ部２０ｃ，２０ｃに代えて上記と同様の係合部と被係合部を形成し、この係合部を被係合部に係合させることによって、前後の筒半体２０，２０を分離しないように合体させてもよい。
【００２５】
図７は本発明の更に他の実施形態に係る這樋エルボの側面図である。
【００２６】
この這樋エルボは、有底の筒体２の中央部から上端までの切断予定部分２ｈがテーパーのない角筒状に形成され、この切断予定部分２ｈより下側が上広がりのテーパーを有する角筒状に形成されている。ここに「切断予定部分」とは、這樋の先端から軒樋の底面までの落差に合致させるために筒体２を切断する可能性がある部分を意味し、この実施形態では筒体２の上半分を切断予定部分２ｈとしているが、これに限定されるものではなく、例えば、筒体２の上端から１／３程度を切断予定部分としてもよい。具体的な寸法を例示すると、筒体２の全長が例えば３０ｃｍである場合には、上端から１０〜１５ｃｍ程度を切断予定部分とするのが適当である。
【００２７】
その他の構成は、前述した図１、図２の這樋エルボと同様であるから、図７において同一部材に同一符号を付し、説明を省略する。
【００２８】
このような這樋エルボは、筒体２の切断予定部分２ｆのどの箇所で水平に切断しても、切断された開口が切断前の筒体２の上端開口２ａと同じ大きさとなり、筒体２を切断するだけで這樋と軒樋底部との落差に合致するように這樋エルボの全長を調節できるため、前述した這樋エルボと同じ効果が得られる。
【００２９】
【発明の効果】
以上の説明から明らかなように、本発明の這樋エルボは、筒体のどの箇所で切断しても、或は、筒体の切断予定部分のどの箇所で切断しても、切断された開口が切断前の筒体の上端開口と同じ大きさとなり、この切断された開口にエルボ本体の差込口を実質的に隙間なく嵌合して接着剤で水密的に接合することができるため、その接合部分からの水漏れがなくなり、しかも、筒体を切断するだけで、這樋から軒樋の底面までの落差に合致するように這樋エルボの全長を調節できるため、従来のように長さ調節筒をエルボ本体と筒体との間に介在させて接続することが不要になり、部品点数の増加や接続箇所の増加がなくなるので、施工性の低下やコスト増を防止できるといった効果を奏する。
【図面の簡単な説明】
【図１】（ａ）は本発明の一実施形態に係る這樋エルボの正面図、（ｂ）は同這樋エルボの右側面図である。
【図２】同這樋エルボの分解縦断面図である。
【図３】同這樋エルボの取付状態の説明図である。
【図４】本発明の他の実施形態に係る這樋エルボの正面図である。
【図５】（ａ）は本発明の更に他の実施形態に係る這樋エルボの正面図、（ｂ）は同這樋エルボの右側面図である。
【図６】同這樋エルボの筒体の分解横断面図である。
【図７】本発明の更に他の実施形態に係る這樋エルボの側面図である。
【図８】従来の這樋エルボの分解側面図である。
【図９】従来の這樋エルボの取付状態の説明図である。
【符号の説明】
１　エルボ本体
１ａ　接続口
１ｂ　差込口
２　筒体
２ａ　筒体の上端開口
２ｂ　排水口
２ｈ　切断予定部分
２０　筒半体
特許出願人　　タキロン株式会社
【図１】
2004027660.tif 000003
【図２】
2004027660.tif 000004
【図３】
2004027660.tif 000005
【図４】
2004027660.tif 000006
【図５】
2004027660.tif 000007
【図６】
2004027660.tif 000008
【図７】
2004027660.tif 000009
【図８】
2004027660.tif 000010
【図９】
2004027660.tif 000011